(57)【要約】      （修正有）【課題】傘骨の全体の構造の強度を補強し，且つ傘骨の折れ曲り変形を防止する逆折り式傘の傘骨構造を提供する。【解決手段】傘骨構造は，一つの傘の棒のグループ1及び複数の傘骨グループ2を含む。傘の棒のグループは傘の棒，第一轆轤及び第二轆轤を含み，傘骨グループは第一から第四の棒を含む。第一棒の一端は第一轆轤にヒンジ連結され，他端に接合具が設けられる。第二棒の一端は接合具にヒンジ連結され，他端に端部ボールが設けられ，且つ第二棒は第一ヒンジベースにカバーされる。第三棒の一端は第二轆轤にヒンジ連結され，他端は第一棒をカバーする第二ヒンジベースにヒンジ連結され，第三棒の本体に第三ヒンジベース，可動式ヒンジベース及び位置決め部材が設けられる。第四棒の一端は可動式ヒンジベースにヒンジ連結され，他端は第一ヒンジベースにヒンジ連結され，第四棒の本体にガイド部材が設けられ，ガイド部材と第一棒との間に引張コイルバネが設けられる。【選択図】図1
0003210476.tif 000002
【実用新案登録請求の範囲】
【請求項１】
逆折り式傘の傘骨構造であって，以下を含む：  
一つの傘の棒のグループ及び複数の傘骨グループ；
前記傘の棒のグループは傘の棒，第一轆轤及び第二轆轤を含み，該第一，第二轆轤はそれぞれ該傘の棒をカバーして設置される；
前記傘骨グループは第一棒，第二棒，第三棒及び第四棒を含み，該第一棒は第一轆轤にヒンジで連結され，他端に接合具が設けられ，該第二棒の一端は接合具にヒンジで連結され，他端に端部ボールが設けられ，且つ該第二棒は第一ヒンジベースにカバーされ，該第三棒の一端は第二轆轤にヒンジで連結され，他端は第一棒をカバーする第二ヒンジベースにヒンジで連結され，且つ該第三棒の本体に第三ヒンジベース，可動式ヒンジベース及び該可動式ヒンジベースを位置決めするための位置決め部材が設けられ，該第四棒の一端は可動式ヒンジベースにヒンジで連結され，他端は第一ヒンジベースにヒンジで連結され，且つ該第四棒の本体に接合具とヒンジで連結されるガイド部材が設けられ，該ガイド部材と第一棒との間に両者を連結するための引張コイルバネが設けられることを特徴とする逆折り式傘の傘骨構造。
【請求項２】
傘の棒のグループはさらに該傘の棒をカバーする第三轆轤を含み，該第三轆轤と第二轆轤との間にさらにバネが設けられ，該バネの頂部は第二轆轤の頂部に当接され，その底部は第三轆轤の頂部に当接されることを特徴とする請求項1に記載の逆折り式傘の傘骨構造。
【請求項３】
傘骨グループはさらに第五棒を含み，該第五棒の一端は第三轆轤にヒンジで連結され，他端は第三ヒンジベースにヒンジで連結されることを特徴とする請求項2に記載の逆折り式傘の傘骨構造。
【請求項４】
第三轆轤の外表面はネジ山を有し，第三轆轤にさらにネジ山と嵌合するネジキャップが設けられることを特徴とする請求項2に記載の逆折り式傘の傘骨構造。
【請求項５】
端部ボールはさらに該第二棒の一端と接続される第一固定部材及び，第一固定部材の一端に接続される第二固定部材を含むことを特徴とする請求項1に記載の逆折り式傘の傘骨構造。
【請求項６】
第一固定部材の片側にさらに貫通孔が設けられることを特徴とする請求項5に記載の逆折り式傘の傘骨構造。
【請求項７】
第二固定部材の片側にさらに透孔が設けられることを特徴とする請求項5に記載の逆折り式傘の傘骨構造。
【考案の詳細な説明】
【技術分野】
【０００１】
本考案は、逆折り式傘の傘骨構造に関する。
【背景技術】
【０００２】
従来の逆折り式傘の傘骨構造は，以下の特許文献を参照されたい，それは中国大陸特許２０１５２１１１４７１９．４号の  “逆折り式長傘の傘骨モジュール”であり，該考案は主に従来の逆折り式の傘の傘骨構造を改良し，実際に操作してから以下の問題点が発見される：その第二棒と第四棒は両者の間のヒンジ連結箇所で可動式ヒンジベースにより接続され，第二棒は全体の外部の傘布を張り，最大の風力を受ける主要部位であるため，該第二棒と第四棒との間で形成するヒンジ連結点は非常に重要になり，前記考案において可動式ヒンジベースにより接続されるため，強風に襲われると，第二棒は折って破損され，変形することが起こりやすい。
【考案の概要】
【考案が解決しようとする課題】
【０００３】
そこで，上記問題をどのように解決するか，傘骨の全体構造の強度を補強することにより，従来の逆折り式傘の傘骨は折って変形しやすいという問題を解決するのは，本考案の課題となる。
【課題を解決するための手段】
【０００４】
本考案は傘骨の全体構造の強度を補強することにより，従来の逆折り式傘の傘骨は折って変形しやすいという問題を解決する逆折り式傘の傘骨構造を提供することを目的とする。
【０００５】
逆折り式傘の傘骨構造であって，以下を含む：
一つの傘の棒のグループ及び複数の傘骨グループ；前記傘の棒のグループは傘の棒，第一轆轤及び第二轆轤を含み，該第一，第二轆轤はそれぞれ該傘の棒をカバーして設置される；前記傘骨グループは第一棒，第二棒，第三棒及び第四棒を含み，該第一棒は第一轆轤にヒンジで連結され，他端に接合具が設けられ，該第二棒の一端は接合具にヒンジで連結され，他端に端部ボールが設けられ，且つ該第二棒は第一ヒンジベースにカバーされ，該第三棒の一端は第二轆轤にヒンジで連結され，他端は第一棒をカバーする第二ヒンジベースにヒンジで連結され，且つ該第三棒の本体に第三ヒンジベース，可動式ヒンジベース及び該可動式ヒンジベースを位置決めするための位置決め部材が設けられ，該第四棒の一端は可動式ヒンジベースにヒンジで連結され，他端は第一ヒンジベースにヒンジで連結され，且つ該第四棒の本体に接合具とヒンジで連結されるガイド部材が設けられ，該ガイド部材と第一棒との間に両者を連結するための引張コイルバネが設けられる。
【０００６】
傘の棒のグループはさらに該傘の棒をカバーする第三轆轤を含み，該第三轆轤と第二轆轤との間にさらにバネが設けられ，該バネの頂部は第二轆轤の頂部に当接され，その底部は第三轆轤の頂部に当接される。
【０００７】
傘骨グループはさらに第五棒を含み，該第五棒の一端は第三轆轤にヒンジで連結され，他端は第三ヒンジベースにヒンジで連結される。
【０００８】
第三轆轤の外表面はネジ山を有し，第三轆轤にさらにネジ山と嵌合するネジキャップが設けられる。
【０００９】
端部ボールはさらに該第二棒の一端と接続される第一固定部材及び，第一固定部材の一端に接続される第二固定部材を含む。
【００１０】
第一固定部材の片側にさらに貫通孔が設けられる。
【００１１】
第二固定部材の片側にさらに透孔が設けられる。
【考案の効果】
【００１２】
本考案は、従来の技術と比べて、次に列挙する効果がある。
【００１３】
従来の傘骨構造に対し，前記考案の第二棒と該第四棒とのヒンジ連結箇所のヒンジベースを動けないヒンジベースに改善し，且つ該第三棒に可動式ヒンジベースを設け，第三棒と第四棒との間で連動牽制の関係が形成され，それによって第二棒が耐える風力を分散し，第二棒は長期に使用されても，元の状態を維持して変形しにくいため，本考案の傘骨構造はほとんど従来の部品を使用し，わざと製造する必要がなく，それにより製造しやすく，コストが低く，且つ傘骨構造の全体の構造強度を大幅に向上させる。
【図面の簡単な説明】
【００１４】
【図１】：本考案が内外傘布の展開に取り合わせる場合の見取り図である。
【図２】：本考案が半分に折り畳む場合の見取り図である。
【図３】：本考案が折り畳む場合の見取り図である。
【図４】：本考案のガイド部材の立体見取り図である。
【図５】：本考案の第三轆轤がネジキャップと取り合わせる場合の実施見取り図である。
【図６】：本考案の端部ボールの立体分解見取り図である。
【考案を実施するための形態】
【００１５】
以下、本考案の実施の形態について、図面を参照して詳細に説明する。
【００１６】
図1乃至図6に示すように、本考案の逆折り式傘の傘骨構造は、逆折り式傘の傘骨構造を開示し，それは以下を含む：一つの傘の棒のグループ（１）及び複数の傘骨グループ（２）；前記傘の棒のグループ（１）は傘の棒（１１），第一轆轤（１２）及び第二轆轤（１３）を含み，該第一，第二轆轤（１２，１３）はそれぞれ該傘の棒（１１）をカバーして設置される；前記傘骨グループ（２）は第一棒（２１），第二棒（２２），第三棒（２３）及び第四棒（２４）を含み，該第一棒（２１）は第一轆轤（１２）にヒンジで連結され，他端に接合具（２５）が設けられ，該第二棒（２２）の一端は接合具（２５）にヒンジで連結され，他端に端部ボール（３）が設けられ，且つ該第二棒（２２）は第一ヒンジベース（２６）にカバーされ，該第三棒（２３）の一端は第二轆轤（１３）にヒンジで連結され，他端は第一棒（２１）をカバーする第二ヒンジベース（２７）にヒンジで連結され，且つ該第三棒（２３）の本体に第三ヒンジベース（２８），可動式ヒンジベース（２９）及び該可動式ヒンジベース（２９）を位置決めするための位置決め部材（２９１）が設けられ，該第四棒（２４）の一端は可動式ヒンジベース（２９）にヒンジで連結され，他端は第一ヒンジベース（２６）にヒンジで連結され，且つ該第四棒（２４）の本体に接合具（２５）とヒンジで連結されるガイド部材（４）が設けられ，該ガイド部材（４）と第一棒（２１）との間に両者を連結するための引張コイルバネ（５）が設けられる。
【００１７】
該第三棒（２３）に可動式ヒンジベース（２９）を設ける設計により，該第三棒（２３）と第四棒（２４）との間で連動牽制の関係が形成され，それにより第二棒（２２）が耐える風力を分散し，第二棒（２２）は長期に使用されても，元の状態を維持して変形しにくくなり，傘骨構造の全体の構造強度を大幅に向上させる。
【００１８】
上記傘骨グループ（２）はさらに該傘骨グループ（２）をカバーする第三轆轤（１４）を含み，該第三轆轤（１４）と第二轆轤（１３）との間にさらにバネ（６）が設けられ，該バネ（６）の頂部は第二轆轤（１３）の頂部に当接され，その底部は第三轆轤（１４）の頂部に当接され，前記傘骨グループ（２）はさらに第五棒（７）を含み，該第五棒（７）の一端は第三轆轤（１４）にヒンジで連結され，他端は第三ヒンジベース（２８）にヒンジで連結される。
【００１９】
該第三轆轤（１４）は上下にスライドすることにより，第五棒（７）を駆動し，且つ該第五棒（７）により第三棒（２３）をプッシュし，第三棒（２３）は可動式ヒンジベース（２９）を介して第四棒（２４）を広げ，さらに第一，第二棒（２１，２２）を広げ，それにより傘を広げる状態になり，ユーザは逆折り式傘を広げる又は畳む場合に，第三轆轤（１４）と第五棒（７）の力を借り，逆折り式傘をスムーズに広げたり畳んだりする効果を達成する。
【００２０】
上記第三轆轤（１４）の外表面はネジ山（１４１）を有し，第三轆轤（１４）にさらにネジ山（１４１）と嵌合するネジキャップ（８）が設けられる。それにより，ネジキャップ（８）を経て逆折り式傘の内傘布（１０）の端部をクランプすることにより，内傘布（１０）の固定を補強し，内傘布（１０）の端部は隙間に露出して脱線することがなくなる。
【００２１】
前記端部ボール（３）はさらに以下を含む：第二棒（２２）の一端に接続される第一固定部材（３１）及び，第一固定部材（３１）の一端と接続される第二固定部材（３２）であり，該第一固定部材（３１）の片側にさらに貫通孔（３１１）が設けられ，第二固定部材（３２）の片側にさらに透孔（３２１）が設けられる。
【００２２】
該端部ボール（３）を応用することにより，逆折り式傘の内外傘布（１０，２０）はそれぞれ第二棒（２２）に固定され，逆折り式傘の強度及び強風抵抗性を補強する。
【００２３】
そして，内外傘布（１０，２０）により，傘骨グループ（２）が内外傘布（１０，２０）の間に隠され，逆折り式傘の強度を補強すると同時に，美観性を兼ね，消費者の消費意欲を向上させる。
【００２４】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２５】
1 傘の棒のグループ 
11 傘の棒
12 第一轆轤 
13 第二轆轤 
14 第三轆轤
141 ネジ山               
2 傘骨グループ 
21 第一棒    
22 第二棒
23 第三棒        
24 第四棒 
25 接合具
26 第一ヒンジベース
27 第二ヒンジベース
28 第三ヒンジベース
29 可動式ヒンジベース
291 位置決め部材  
3 端部ボール
31 第一固定部材
311 貫通孔
32 第二固定部材
321 透孔
4 ガイド部材
5 引張コイルバネ
6 バネ
7 第五棒
8 ネジキャップ  
10 内傘布
20 外傘布
【図１】
0003210476.tif 000003
【図２】
0003210476.tif 000004
【図３】
0003210476.tif 000005
【図４】
0003210476.tif 000006
【図５】
0003210476.tif 000007
【図６】
0003210476.tif 000008